(57)【要約】【課題】  かご室壁の意匠面を保護する保護装置を備えるとともに、この保護装置によって昇降路内の機器類のレイアウトに制約が生じることのないエレベータのかごを得る。【解決手段】  エレベータのかご室内部に設けられた軸と、かご室壁の意匠面を保護する保護面を有し、軸に巻き付けられることによってかご室内部に配置されたロールスクリーンと、このロールスクリーンの一端部をかご室壁に着脱可能に固定する係止手段とを備えることにより、エレベータのかご室壁に設けられた意匠面を保護する保護装置をかご室内部に設置する。【選択図】      図３
2006036442.tif 000002
【特許請求の範囲】
【請求項１】
エレベータのかご室内部に設けられた軸と、かご室壁の意匠面を保護する保護面を有し、前記軸に巻き付けられることによってかご室内部に配置されたロールスクリーンと、このロールスクリーンの一端部を前記かご室壁に着脱可能に固定する係止手段とを備えたことを特徴とするエレベータのかご。
【請求項２】
軸は、かご室内天井面の上方に配置されるようにかご室壁の上部に設けられ、ロールスクリーンの一端部は、掛止手段によって前記かご室壁の下部に着脱可能に固定されることを特徴とする請求項１に記載のエレベータのかご。
【請求項３】
軸は、かご室内天井面の上方に配置されるように天井部に設けられ、ロールスクリーンの一端部は、掛止手段によってかご室壁の下部に着脱可能に固定されることを特徴とする請求項１に記載のエレベータのかご。
【請求項４】
軸は、かご室壁と床との間の巾木に設けられ、ロールスクリーンの一端部は、掛止手段によってかご室壁の上部に着脱可能に固定されることを特徴とする請求項１に記載のエレベータのかご。
【請求項５】
軸は、かご室壁に設置された手摺の内部に設けられ、前記軸に巻き付けられることにより前記手摺内に配置されたロールスクリーンは、その一端部が掛止手段によって前記かご室壁上部に着脱可能に固定される第一のロールスクリーンと、その一端部が掛止手段によって前記かご室壁下部に着脱可能に固定される第二のロールスクリーンとからなることを特徴とする請求項１に記載のエレベータのかご。
【請求項６】
かご室壁の下部にトランク扉が設けられ、ロールスクリーンの一端部は、掛止手段によってトランク扉の下部及びトランク扉上方のかご室壁下部に着脱可能に固定されることを特徴とする請求項１に記載のエレベータのかご。
【請求項７】
ロールスクリーンは、着脱自在であることを特徴とする請求項１から請求項６の何れかに記載のエレベータのかご。
【請求項８】
芳香剤を備えることにより、ロールスクリーンを引き出す際に芳香作用を有することを特徴とする請求項１から請求項７の何れかに記載のエレベータのかご。
【請求項９】
ロールスクリーンの保護面は、意匠性の優れた模様又は布生地で構成されたことを特徴とする請求項１から請求項８の何れかに記載のエレベータのかご。
【請求項１０】
ロールスクリーンを巻き取る際に前記ロールスクリーンに付着した異物を取り除くゴミ取り装置が備えられたことを特徴とする請求項１から請求項９の何れかに記載のエレベータのかご。
【発明の詳細な説明】
【技術分野】
【０００１】
この発明は、かご室内部の壁面を保護する保護装置を備えたエレベータのかごに関するものである。
【背景技術】
【０００２】
エレベータを利用して大型の荷物等を運搬する際に、荷物等がかご室壁に接触してかご室壁の意匠面が損傷してしまうことを防止するため、エレベータのかごには、予めかご室壁の意匠面を保護する保護装置が設けられたものがある。このような保護装置を備えた従来のエレベータのかごには、例えば、かごの隅角部に設けられ、かご室内の壁面を覆う保護幕を収納する収納部と、保護幕をロール状に巻き付けるパイプ状の芯部と、収納部の両側に同一方向に回動し、芯部に係合する一対の支持部とを備えることにより、保護幕の着脱を簡単に行うことができるようにしたものがある（特許文献１参照）。
【０００３】
【特許文献１】特開２００２−３０８５５０号公報
【発明の開示】
【発明が解決しようとする課題】
【０００４】
特許文献１記載のエレベータのかごは、パイプ状の芯部に巻き付けられた保護幕を前後に移動させることによって、保護幕の収納部の両端に設けられた一対の支持部が回動し、支持部と芯部とが係合したり外れたりするように構成されているため、かごに備えられた保護幕の着脱を容易に行うことが可能となる。しかし、保護幕を収納する収納部が昇降路側に突出するようにかごの外側に設けられているため、昇降路内に設置する他の機器類のレイアウトに制約が生じるという問題が生じていた。また、かご室壁に保護幕を引き出すスリットや保護幕を収納する収納部を設けなければならないため、特殊な形状を有するかご室壁が必要となり、コスト高になる要因ともなっていた。
【０００５】
この発明は、上述のような課題を解決するためになされたもので、その目的は、かご室壁の意匠面を保護する保護装置を備えるとともに、この保護装置によって昇降路内の機器類のレイアウトに制約が生じることのないエレベータのかごを提供することである。
【課題を解決するための手段】
【０００６】
この発明に係るエレベータのかごは、エレベータのかご室内部に設けられた軸と、かご室壁の意匠面を保護する保護面を有し、軸に巻き付けられることによってかご室内部に配置されたロールスクリーンと、このロールスクリーンの一端部をかご室壁に着脱可能に固定する係止手段とを備えたものである。
【発明の効果】
【０００７】
この発明は、エレベータのかご室内部に設けられた軸と、かご室壁の意匠面を保護する保護面を有し、軸に巻き付けられることによってかご室内部に配置されたロールスクリーンと、このロールスクリーンの一端部をかご室壁に着脱可能に固定する係止手段とを備える構成としたことで、かご室壁の意匠面を保護する保護装置によって昇降路内の機器類のレイアウトに制約が生じることがない。
【発明を実施するための最良の形態】
【０００８】
図１及び図２は、この発明におけるエレベータのかご室内を示す図であり、図１はかごの奥側からかご室内を見た図、また、図２はかごの出入口側からかご室内を見た図を示している。図において、エレベータ昇降路内を昇降するかごは、建築物の各階のエレベータ乗場に設けられた乗場の戸（図示せず）に対向するかご戸１が設けられ、このかご戸１の両側には、かご操作盤２ａ等が設置された袖壁２が設けられている。また、かご戸１を間に挟んでかご室の両側に互いに対向するように設けられたかご室壁３ａ及び３ｂは、所定の高さを有する巾木４ａ及び４ｂを介してかご室の床５に立設されている。このかご室壁３ａ及び３ｂには、所定の高さに円柱状の手摺６ａ及び６ｂがそれぞれ水平に設けられている。また、かご戸１と対向するようにかご室の奥側に設けられたかご室壁７には、その下部に観音開きタイプのトランク扉７ａ及び７ｂが設けられており、このトランク扉７ａ及び７ｂを開放することによりかごの奥側下部に備えられたトランクの使用が可能となる。なお、このトランクは、エレベータを使用して棺桶や救急用担架等を運搬する場合に、棺桶等の長手方向端部を収納するための空間であり、トランク扉７ａ及び７ｂは、使用時以外閉じられ、且つ、施錠されている。また、かご室の天井部８には、かご室の四方の壁、即ち、袖壁２とかご室壁３ａ、３ｂ及び７とのそれぞれの間に所定の間隙を有する照明装置９が設置されている。なお、図１及び図２は、この発明におけるエレベータのかごの代表図を示したものであり、手摺６ａ及び６ｂやトランク等は必要に応じて備えられるものである。また、かご室は、床５、天井部８、かご室壁３ａ、３ｂ及び７、袖壁２、かご戸１によってその内部空間が形成されている。
次に、かご室壁３ａ、３ｂ及び７の意匠面を保護する保護装置の構成について、以下に詳細に説明する。
【０００９】
実施の形態１．
図３は、この発明の実施の形態１におけるエレベータのかごの縦断面図であり、後述するロールスクリーン１０ａ及び１０ｂによってかご室壁３ａ及び３ｂに設けられたかご室内側の意匠面を保護した状態を示している。図において、互いに対向するかご室壁３ａ及び３ｂの上部には、かご室の出入口側から奥側に渡って軸１１ａ及び１１ｂがそれぞれ回動可能に設けられており、この軸１１ａ及び１１ｂに、かご室壁３ａ及び３ｂの意匠面を保護するロールスクリーン１０ａ及び１０ｂが巻き付けられている。この軸１１ａ及び１１ｂは、かご室壁３ａ及び３ｂと照明装置９との間に形成された間隙内に設けられており、ロールスクリーン１０ａ及び１０ｂが全て巻き取られた状態で、このロールスクリーン１０ａ及び１０ｂの下端が照明装置９の下面、即ち、かご室天井面９ａから下方に突出しないように配置されている。また、ロールスクリーン１０ａ及び１０ｂは、軸１１ａ及び１１ｂから下方に引き出された際のかご室内側の面が保護面となっており、この保護面は、荷物等が接触しても損傷し難く、かご室壁３ａ及び３ｂの意匠面に傷が付くことを防ぎ得る構成を有している。また、かご室壁３ａ及び３ｂの下部と、ロールスクリーン１０ａ及び１０ｂの一端部とには、ロールスクリーン１０ａ及び１０ｂをかご室壁３ａ及び３ｂに着脱可能に固定する係止手段が設けられている。
【００１０】
以上のような構成を有するエレベータのかごを利用して大型の荷物等を運搬する場合、運搬する荷物等をかご室内に運び込む前に、かご室壁３ａ及び３ｂの意匠面をロールスクリーン１０ａ及び１０ｂの保護面で覆い保護する必要がある。即ち、軸１１ａ及び１１ｂに巻き付けられているロールスクリーン１０ａ及び１０ｂの一端部を持って下方に引き出し、その一端部を係止手段によってかご室壁３ａ及び３ｂの下部に固定する。なお、係止手段には、例えば、かご室壁３ａ及び３ｂの下部に設けられたストッパー１２ａ及び１２ｂにロールスクリーン１０ａ及び１０ｂの一端部を引っ掛ける構成を有するものや、ロールスクリーン１０ａ及び１０ｂの一端部に設けられた磁石（図示せず）によって、ロールスクリーン１０ａ及び１０ｂの一端部をかご室壁３ａ及び３ｂの下部に吸着させる構成を有するもの等が考えられる。
【００１１】
この発明の実施の形態１によれば、エレベータのかご室壁３ａ及び３ｂの意匠面を保護する保護装置は、その不使用時に、ロールスクリーン１０ａ及び１０ｂが軸１１ａ及び１１ｂに全て巻き取られるとともに、かご室壁３ａ及び３ｂと照明装置９との間に形成された間隙内に収納されるため、かご室内部の意匠性を損なう恐れがない。また、軸１１ａ及び１１ｂ並びにロールスクリーン１０ａ及び１０ｂ等からなる保護装置は、かご室内部に設けられ、従来のようにロールスクリーン１０ａ及び１０ｂ等を収納する収納部がかごの外側から昇降路側に突出するようなこともないため、昇降路内に配置される他の機器類のレイアウトに制約が生じることもない。
【００１２】
なお、保護装置を使用しない場合のかご室内部の意匠性をさらに向上させるため、かご室壁３ａ及び３ｂとの間に所定の幅のスリットが形成されるように照明装置９の下面となるかご室天井面９ａをかご室壁３ａ及び３ｂ近傍まで延長し、このかご室天井面９ａの上方に軸１１ａ及び１１ｂとロールスクリーン１０ａ及び１０ｂとが配置されるような構成としても良い。このような構成を有することにより、保護装置の不使用時に、軸１１ａ及び１１ｂに巻き取られたロールスクリーン１０ａ及び１０ｂが、かご室内のエレベータ利用客の視界に入らないようにすることが可能となる。かかる保護装置を使用する際には、上記スリットからロールスクリーン１０ａ及び１０ｂを引き出し、実施の形態１と同様に係止手段によってロールスクリーン１０ａ及び１０ｂの一端部をかご室壁３ａ及び３ｂの下部に固定すれば良い。
【００１３】
また、係止手段としてかご室壁３ａ及び３ｂの下部に、ロールスクリーン１０ａ及び１０ｂの一端部を係止するストッパー１２ａ及び１２ｂが設けられた場合には、保護装置の不使用時に、かご室壁３ａ及び３ｂとストッパー１２ａ及び１２ｂとが面一となるように、ストッパー１２ａ及び１２ｂがかご室壁３ａ及び３ｂ内に収納されるように構成しても良い。かかる構成を有することにより、エレベータの利用者がストッパー１２ａ及び１２ｂに躓くこともなく、意匠性の良いエレベータのかごを提供することが可能となる。また、軸１１ａ及び１１ｂの内部に芳香剤を格納することができるような構成として、ロールスクリーン１０ａ及び１０ｂが引き出される際に芳香作用を有するようにしたり、ロールスクリーン１０ａ及び１０ｂの保護面を意匠性の優れた模様や布生地で構成したりしても良い。さらに、ロールスクリーン１０ａ及び１０ｂを着脱可能な構成とすることによって、ロールスクリーン１０ａ及び１０ｂの交換を容易に行えるようにしたり、軸１１ａ及び１１ｂと軸１１ａ及び１１ｂに巻き付けられたロールスクリーン１０ａ及び１０ｂとをかご室壁３ａ及び３ｂに容易に取り付け可能な構成とすることによって、保護装置が備えられていない既存のエレベータのかごにも対応したりすることが可能となる。
【００１４】
なお、図３には示されていないが、かごの奥側のかご室壁７と照明装置９との間に形成された間隙にも、上記に示す保護装置と同様の構成を有する保護装置が設けられており、エレベータのかごを利用して大型の荷物等を運搬する場合には、この保護装置によってかご室壁７に形成された意匠面も保護できるように構成されている。
【００１５】
実施の形態２．
図４はこの発明の実施の形態２におけるエレベータのかごの縦断面図である。図において、かご室壁３ａ及び３ｂの意匠面を保護するロールスクリーン１０ａ及び１０ｂは、天井部８又は天井部８に設置された照明装置９に回動可能に設けられた軸１１ａ及び１１ｂに巻き付けられている。このようにロールスクリーン１０ａ及び１０ｂと軸１１ａ及び１１ｂとを天井部８に設けることにより、軸１１ａ及び１１ｂや照明装置９等の支持部材を全て天井部８に集中して配置することができるため、作業性が良く、かご全体としてコスト削減を図ることが可能となる。なお、その他は、実施の形態１と同様の構成及び効果を有している。
【００１６】
実施の形態３．
図５は、この発明の実施の形態３におけるエレベータのかごの縦断面図である。図において、ロールスクリーン１０ａ及び１０ｂが巻き付けられた軸１１ａ及び１１ｂは、かご室壁３ａ及び３ｂと床５との間に設けられた巾木４ａ及び４ｂに回動可能に設けられている。また、ロールスクリーン１０ａ及び１０ｂをかご室壁３ａ及び３ｂに着脱可能に固定する係止手段は、ロールスクリーン１０ａ及び１０ｂの一端部とかご室壁３ａ及び３ｂの上部に設けられている。かかる構成を有するエレベータのかごにおいてかご室壁３ａ及び３ｂの意匠面を保護するには、巾木４ａ及び４ｂに備えられたロールスクリーン１０ａ及び１０ｂの一端部を持って上方に引き出し、その一端部を掛止手段によってかご室壁３ａ及び３ｂの上部に固定する。
このように構成されたエレベータのかごは、実施の形態１及び２のようにかご室壁３ａ及び３ｂの上部と照明装置９との間に形成された間隙に保護装置を設置することが困難な場合等には、特に有効な手段となる。なお、その他は実施の形態１と同様の構成及び効果を有している。
【００１７】
実施の形態４．
図６は、この発明の実施の形態４におけるエレベータのかごの縦断面図である。図において、エレベータのかごのかご室壁３ａ及び３ｂには、所定の高さに手摺６ａ及び６ｂがそれぞれ水平に設けられている。ロールスクリーン１０ａ及び１０ｂが巻き付けられた軸１１ａ及び１１ｂは、この手摺６ａ及び６ｂの内部に回動可能に設けられており、ロールスクリーン１０ａ及び１０ｂは、保護装置の不使用時に手摺６ａ及び６ｂの内部に収納されるように構成されている。また、ロールスクリーン１０ａ及び１０ｂをかご室壁３ａ及び３ｂに着脱可能に固定する係止手段は、ロールスクリーン１０ａ及び１０ｂの一端部とかご室壁３ａ及び３ｂの上部及び下部にそれぞれ設けられている。なお、手摺６ａ内には２つのロールスクリーン１０ａが、また、手摺６ｂ内には２つのロールスクリーン１０ｂがそれぞれ設けられており、かかる構成を有するエレベータのかごにおいてかご室壁３ａ及び３ｂの意匠面を保護するには、ロールスクリーン１０ａ及び１０ｂを手摺６ａ及び６ｂのかご室壁３ａ及び３ｂ側に設けられたスリット（図示せず）から引き出し、その一方（第一のロールスクリーン１０ａ及び１０ｂ）をかご室壁３ａ及び３ｂの上部に、また、他方（第二のロールスクリーン１０ａ及び１０ｂ）をかご室壁３ａ及び３ｂの下部に係止手段によって固定する。
このように構成されたエレベータのかごは、ロールスクリーン１０ａ及び１０ｂと手摺６ａ及び６ｂとが一体的に設けられているためにかご室内の意匠性が良く、かご室壁３ａ及び３ｂ等に保護装置の設置場所がない場合でも対応することが可能となる。なお、その他は、実施の形態１と同様の構成及び効果を有している。
【００１８】
実施の形態５．
図７は、この発明の実施の形態５におけるエレベータのかご室内を示す図であり、かごの出入口側からかご室内を見た図を示している。図において、かご室奥側のかご室壁７の下部には、トランク扉７ａ及び７ｂが設けられており、このトランク扉７ａ及び７ｂの奥側にトランク１３が備えられている。また、かご室壁７と照明装置９との間に形成された間隙内には、かご室壁７並びにトランク扉７ａ及び７ｂのかご室内部側意匠面を保護するロールスクリーン１０ｃが巻き付けられた軸（図示せず）が回動可能に設けられている。このロールスクリーン１０ｃをかご室壁７に着脱可能に固定する係止手段は、ロールスクリーン１０ｃの一端部と、トランク扉７ａ及び７ｂの上方に位置するかご室壁７の下部と、トランク扉７ａ及び７ｂの下部とに設けられている。かかる構成を有するエレベータのかごにおいてかご室壁３ａ及び３ｂの意匠面を保護するには、トランク１３を使用する場合は、ロールスクリーン１０ｃの一端部を図７に示すようにかご室壁７の下部に固定し、また、トランク１３を使用しない場合には、ロールスクリーン１０ｃの一端部をトランク扉７ａ及び７ｂの下部に固定する。なお、その他は、実施の形態１から４の何れかと同様の構成を有している。
【００１９】
この発明の実施の形態５によれば、エレベータのかごにトランク１３が備えられている場合でも、トランク１３の使用の有無に応じてかご室壁７等の意匠面の保護を適切に且つ容易に行うことが可能であり、保護装置の利便性が向上する。即ち、トランク１３を使用する場合はかご室壁７の意匠面を、またトランク１３を使用しない場合は、かご室壁７とトランク扉７ａ及び７ｂとの両方の意匠面を保護することが可能となる。
【００２０】
実施の形態６．
図８は、この発明の実施の形態６におけるエレベータのかごの縦断面図である。図において、かご室壁３ａ及び３ｂの上部に設けられた軸１１ａ及び１１ｂには、かご室壁３ａ及び３ｂの意匠面を保護するロールスクリーン１０ａ及び１０ｂが巻き付けられている。また、軸１１ａ及び１１ｂには、巻き付けられたロールスクリーン１０ａ及び１０ｂの外周面に接触し、このロールスクリーン１０ａ及び１０ｂの回動に連動して回動するゴミ取り装置１４ａ及び１４ｂが、フック等で掛止されることにより着脱可能に設けられている。このゴミ取り装置１４ａ及び１４ｂは、外周面に設けられた粘着テープ等によってロールスクリーン１０ａ及び１０ｂに付着したゴミ等を取り除くように構成されている。なお、ゴミ取り装置１４ａ及び１４ｂは、ロールスクリーン１０ａ及び１０ｂに付着したごみ等を除去することができれば上記記載のような構成に限定される必要はなく、例えば、天井部８に支持されるものや、ロールスクリーン１０ａ及び１０ｂの両面に接触するように配置されるもの等でも構わない。また、粘着テープ等によってゴミを取り除く構成のみならず、巻取口にロールスクリーン１０ａ及び１０ｂに接触するブラシ等を設ける構成によっても同様の効果を得ることは可能である。その他は実施の形態１と同様の構成及び効果を有している。
【図面の簡単な説明】
【００２１】
【図１】この発明におけるエレベータのかご室内を示す図である。
【図２】この発明におけるエレベータのかご室内を示す図である。
【図３】この発明の実施の形態１におけるエレベータのかごの縦断面図である。
【図４】この発明の実施の形態２におけるエレベータのかごの縦断面図である。
【図５】この発明の実施の形態３におけるエレベータのかごの縦断面図である。
【図６】この発明の実施の形態４におけるエレベータのかごの縦断面図である。
【図７】この発明の実施の形態５におけるエレベータのかご室内を示す図である。
【図８】この発明の実施の形態６におけるエレベータのかごの縦断面図である。
【符号の説明】
【００２２】
１  かご戸
２  袖壁
２ａ  かご操作盤
３ａ、３ｂ、７  かご室壁
４ａ、４ｂ  巾木
５  床
６ａ、６ｂ  手摺
７ａ、７ｂ  トランク扉
８  天井部
９  照明装置
９ａ  かご室天井面
１０ａ、１０ｂ、１０ｃ  ロールスクリーン
１１ａ、１１ｂ  軸
１２ａ、１２ｂ、１２ｃ  ストッパー
１３  トランク
１４ａ、１４ｂ  ゴミ取り装置
【図１】
2006036442.tif 000003
【図２】
2006036442.tif 000004
【図３】
2006036442.tif 000005
【図４】
2006036442.tif 000006
【図５】
2006036442.tif 000007
【図６】
2006036442.tif 000008
【図７】
2006036442.tif 000009
【図８】
2006036442.tif 000010